(57)【要約】【課題】供給された止具を確実に頭部が上側となるように保持し得る止具保持具を提供することにある。【解決手段】頭部３と胴部４とを有する止具２によって被固着材５，６を固着する止具固着装置９に設けられ、ガイド部２０を介して供給元から供給された止具２を保持する止具保持具１であって、止具２の頭部３を、頭部３が上側に位置するように保持する保持凹部１３が設けられており、保持凹部１３を区画する周壁１４の少なくとも一部は、保持凹部１３の一部を上方より覆うように突出した庇部１５を備えている。【選択図】図１
2018103206.tif 000002
【特許請求の範囲】
【請求項１】
頭部と胴部とを有する止具によって被固着材を固着する止具固着装置に設けられ、ガイド部を介して供給元から供給された前記止具を保持する止具保持具であって、
前記止具の頭部を、該頭部が上側に位置するように保持する保持凹部が設けられており、該保持凹部を区画する周壁の少なくとも一部は、前記保持凹部の一部を上方より覆うように突出した庇部を備えていることを特徴とする止具保持具。
【請求項２】
請求項１において、
前記保持凹部は、平面視して前記止具の前記頭部に応じた形状とされ、前記周壁は、略全体に前記庇部を備えていることを特徴とする止具保持具。
【請求項３】
請求項１または２において、
前記保持凹部は、前記ガイド部のガイド方向供給元側に向けて開口しており、
前記開口の両側に前記ガイド部のガイド方向供給元側に対向するように設けられた壁部は、前記開口の両側空間の一部を上方より覆うように突出した庇部を備えていることを特徴とする止具保持具。
【発明の詳細な説明】
【技術分野】
【０００１】
本発明は、頭部と胴部とを有する止具によって被固着材を固着する止具固着装置に設けられ、供給元から供給された止具を保持する止具保持具に関する。
【背景技術】
【０００２】
従来より、たとえば特許文献１に記載されたもののように、リベットやねじ等の止具によって被固着材を固着する止具固着装置に設けられる止具保持具が知られている。
この特許文献１では、リベット供給装置に連接されたシュートレールを介して送られ、往復駆動されるステムの作用によってワークに組み付けられるリベットを保持するキャッチャが開示されている。このキャッチャは、シュートレールを介して送られたリベットの頭部を支持するように首吊り状態で保持する保持部が設けられている。
【先行技術文献】
【特許文献】
【０００３】
【特許文献１】特開２００２−１４２２８８号公報
【発明の概要】
【発明が解決しようとする課題】
【０００４】
しかしながら、上記のようなキャッチャでは、シュートレールを介して送られたリベットが、保持部を区画する周壁に衝突した衝撃で上下反転し、適切な向きで保持されず、ワークの組付不良が発生することがあった。
【０００５】
本発明は、このような事情を考慮して提案されたもので、その目的は、供給された止具を確実に頭部が上側となるように保持し得る止具保持具を提供することにある。
【課題を解決するための手段】
【０００６】
上記目的を達成するために、請求項１に記載の止具保持具は、頭部と胴部とを有する止具によって被固着材を固着する止具固着装置に設けられ、ガイド部を介して供給元から供給された前記止具を保持する止具保持具であって、前記止具の頭部を、該頭部が上側に位置するように保持する保持凹部が設けられており、該保持凹部を区画する周壁の少なくとも一部は、前記保持凹部の一部を上方より覆うように突出した庇部を備えていることを特徴とする。
【０００７】
請求項２に記載の止具保持具は、前記保持凹部は、平面視して前記止具の前記頭部に応じた形状とされ、前記周壁は、略全体に前記庇部を備えていることを特徴とする。
【０００８】
請求項３に記載の止具保持具は、前記保持凹部は、前記ガイド部のガイド方向供給元側に向けて開口しており、前記開口の両側に前記ガイド部のガイド方向供給元側に対向するように設けられた壁部は、前記開口の両側空間の一部を上方より覆うように突出した庇部を備えていることを特徴とする。
【発明の効果】
【０００９】
請求項１に記載の止具保持具によれば、上述した構成となっているため、庇部によって、ガイド部を介して供給された止具の頭部を下方に向けて押さえることができ、これにより、供給された止具が周壁に衝突した際に上下が反転するようなことを抑制し、止具を確実に頭部が上側となるように保持することができる。
【００１０】
請求項２に記載の止具保持具によれば、上述した構成となっているため、止具をより確実に頭部が上側となるように保持することができる。
【００１１】
請求項３に記載の止具保持具によれば、上述した構成となっているため、壁部にガイド部を介して供給された止具が衝突した場合でも、上下が反転するようなことを抑制することができる。
【図面の簡単な説明】
【００１２】
【図１】本発明の一実施形態に係る止具保持具の正面図である。
【図２】（ａ）（ｂ）は、同止具保持具の図３（ａ）におけるＸ−Ｘ線に対応した拡大断面図である。
【図３】（ａ）は、同止具保持具の要部拡大平面図、（ｂ）は、同止具保持具の拡大側面図である。
【図４】（ａ）〜（ｃ）は、同止具保持具の図３（ａ）におけるＹ−Ｙ線に対応した拡大断面図である。
【図５】（ａ）は、本発明の他の実施形態に係る止具保持具の要部拡大平面図、（ｂ）は、同止具保持具の要部拡大縦断面図である。
【発明を実施するための形態】
【００１３】
以下に、本発明の実施の形態について、図１〜図４をもとに説明する。なお、以下の実施形態の説明における上下方向等の方向は、止具保持具が取り付けられた状態を基準としている。
【００１４】
本止具保持具１は、頭部３と胴部４とを有する止具２によって被固着材５，６を固着する止具固着装置９に設けられ、ガイド部２０を介して供給元から供給された止具２を保持する構成とされている。
止具固着装置９は、図１に示すように、止具２の供給元としての止具供給装置に連設され、止具保持具１に供給される止具２をガイドするガイド部２０と、止具保持具１によって保持された止具２を押圧して下方側へ移動させる軸部２３と、を備えている。
また、止具固着装置９は、止具保持具１の下方側において被固着材５，６が載置され、止具２を押圧する軸部２３とによって被固着材５，６を固着する載置台部２４を備えている。
【００１５】
本実施形態では、止具固着装置９を、リベットとしての止具２をかしめることによって複数の被固着材５，６を固着する構成としている。
つまり、本実施形態では、後記するように、軸部２３によって載置台部２４側に押圧された止具２の胴部４が、載置台部２４に当接した状態で、更に押圧されることで変形し、被固着材５，６を固着する構成としている。
【００１６】
この止具２は、金属系材料で形成されており、軸方向に見て円形状の頭部３から、軸方向に沿って円柱状の胴部４が延設された構成とされている。また、この止具２は胴部４の先端側において開口する凹部４ａが形成された中空リベットとされている（図４参照）。なお、図例では、止具２を、頭部３が凸湾曲状とされた丸リベットとした例を示しているが、このような態様に限られず、平リベットや皿リベット等の種々のリベットとしてもよい。また、止具２はリベットに限らず、ねじ等の他の止具としてもよい。この場合は、止具固着装置９を他の止具に対応させた構成としてもよい。
【００１７】
図１には、被固着材５，６の例として、軒先に固定された状態で軒樋を支持する軒樋支持具の構成部材である、取付杆（被固着材５）及び取付基板（被固着材６）を示した。これら被固着材５，６には、止具２が挿通される貫通穴５ａ，６ａが互いに対応する位置に形成されている。なお、被固着材５，６は、上記のような態様に限定されず、種々の被固着材が適用可能である。
【００１８】
ガイド部２０は、止具供給装置に接続され、止具保持具１に向けて供給される止具２をガイドする長尺状のガイドレールを構成する。この止具供給装置は、複数の止具２を貯留するホッパ等の貯留部から、止具２を止具保持具１に１本ずつ分離供給する構成としてもよい。
【００１９】
また、ガイド部２０は、図２に示すように、止具２をガイドするレール溝２１を備え、止具保持具１側に下るように傾斜する構成とされ、これにより、止具２をスライドさせて供給する構成とされている。このレール溝２１は、止具２の頭部３を収容する構成とされている。また、ガイド部２０の下面側には、下方に向けて開口する溝部２２が全長に亘って形成されている。この溝部２２の溝幅は、止具２の頭部３の外径よりも小とされ、胴部４の外径よりも大とされている。これにより、止具２の胴部４を溝部２２に挿通させた状態で、頭部３が上側となるように止具２をガイドする構成とされている。
【００２０】
止具保持具１は、図２及び図３に示すように、ガイド部２０のガイド方向供給先側に配されている。
この止具保持具１は、止具２の頭部３を、この頭部３が上側に位置するように保持する保持凹部１３が設けられている。
また、止具保持具１は、保持凹部１３の下方に連続するように上下方向に開口し、止具２の移動経路を構成する保持孔１１が形成されている。
【００２１】
また、止具保持具１は、保持孔１１及び保持凹部１３が形成された保持具本体１０，１０と、この保持具本体１０，１０を支持する一対の支持脚１９，１９と、を備えている。
この保持具本体１０，１０は、図４に示すように、上下方向及びガイド部２０のガイド方向に直行する方向中心において、互いに離反するように分割可能な構成とされ、支持脚１９，１９を介して、常時、閉じるように付勢されている。
【００２２】
保持孔１１は、上下方向に見て略円形状とされ、内径が止具２の頭部３よりも小とされ、胴部４よりも大とされており、止具２は、胴部４が保持孔１１に挿通された状態で、頭部３が保持孔１１の開口周縁によって係止される。
図例では、保持孔１１の上端側に、上方に向かうに従い内径が大となるテーパー面状の大径部１１ａが形成され、下端側に、下方に向かうに従い内径が小となるテーパー面状の小径部１１ｂが形成された例を示している。この場合、保持孔１１の大径部１１ａのテーパー面において、止具２の頭部３を係止するようにしてもよい。
【００２３】
また、止具保持具１には、保持孔１１に連続し、ガイド部２０のガイド方向供給元側に向けて開口する開口１２が形成されている。この開口１２は、ガイド部２０を介して供給される止具２の胴部４を受け入れるように、開口幅寸法が、胴部４の外径よりも大とされている。
【００２４】
また、保持凹部１３を区画する周壁１４の少なくとも一部は、保持凹部１３の一部を上方より覆うように突出した庇部１５を備えている。
本実施形態では、保持凹部１３を、平面視して止具２の頭部３に応じた形状とし、周壁１４の略全体に庇部１５を設けた構成としている。
また、この保持凹部１３は、上下方向及びガイド部２０のガイド方向供給元側に向けて開口している。つまり、本実施形態では、図３（ａ）に示すように、保持凹部１３を、平面視して、ガイド方向反供給元側において止具２の頭部３に応じた略円形状とし、ガイド方向供給元側において開口１６が形成された構成としている。この開口１６は、ガイド部２０を介して供給される止具２の頭部３を受け入れ可能なように形成されている。
【００２５】
庇部１５は、保持凹部１３の一部を覆うように、周壁１４の上端部が下端部よりも突出して形成されている。
図例では、庇部１５を、平面視して保持孔１１の上端開口端縁に略一致する程度に突出させた例を示している。
また、本実施形態では、庇部１５を、周壁１４に一体的に設けた構成としている。
【００２６】
本実施形態では、周壁１４の壁面を斜め下方に向く傾斜面とし、この周壁１４の上端部を庇部１５としている。これによれば、供給された止具２の頭部３の浮き上がりを防止するとともに、傾斜面によって止具２を下方にガイドすることができる。図例では、この傾斜面の水平面に対する角度を６０°程度とした例を示している。なお、このような態様に限られず、この傾斜面の水平面に対する角度は、供給された止具２の頭部３を効果的に押さえる観点等から、適宜、設定するようにしてもよい。
【００２７】
また、本実施形態では、保持凹部１３の開口１６の両側にガイド部２０のガイド方向供給元側に対向するように設けられた壁部１７，１７に、開口１６の両側空間の一部を上方より覆うように突出した庇部１８，１８を設けた構成としている。
これら壁部１７，１７に設けられた庇部１８，１８は、保持凹部１３の庇部１５に連続して形成されている。
また、本実施形態では、保持凹部１３の庇部１５と同様、壁部１７，１７の壁面を斜め下方に向く傾斜面とし、これら壁部１７，１７の上端部を庇部１８，１８としている。
【００２８】
この保持凹部１３に保持された止具２を載置台部２４側（下方側）へ移動させる軸部２３は、上下に長尺状され、止具保持具１の保持孔１１に挿通可能な円柱状とされている。この軸部２３は、止具固着装置９に設けられた駆動部によって上下に往復移動可能に設けられている。図例では、この軸部２３の下端面を平坦面とした例を示しているが、この軸部２３の下端面を、止具２の頭部３に応じた形状としてもよい。
【００２９】
載置台部２４は、上面に形成され、止具２の胴部４を受け入れるかしめ凹部２５と、止具２の胴部４に当接し、この胴部４をかしめ凹部２５に誘導するピン２６と、を備えている。
かしめ凹部２５は、平面視して円形状とされ、上方に向かうに従い内径が大となるテーパー面状の周壁によって区画されている。
ピン２６は、かしめ凹部２５の中心部から、上方に向けて突出するように設けられており、このピン２６が、被固着材５，６の貫通孔５ａ，６ａに挿通された状態で、被固着材５，６が載置される。
また、このピン２６は、かしめ凹部２５の底部に設けられた凹所に、上方側に付勢されるように、かつ、軸部２３の押圧に伴ってこの凹所に退入可能なように設けられている。
また、このピン２６の先端部には、止具２の胴部４の凹部４ａを係止する突部が設けられている。
【００３０】
次に、上記構成とされた止具固着装置９の動作について説明する。
図２に示すように、ガイド部２０を介して、スライドするように供給される止具２は、開口１２，１６を介して、頭部３が上側に位置するように、止具保持具１の保持凹部１３によって保持される。
【００３１】
次いで、図４（ａ）、（ｂ）に示すように、軸部２３に押圧されて止具２が保持孔１１内を下方に向かって移動する。この際に、止具２の移動に伴い、保持具本体１０，１０が、付勢力に抗して互いに離反するように押し開けられる。また、止具２が保持孔１１の下端の小径部１１ｂに保持された状態で、止具２の胴部４が、ピン２６の先端の突部によって係止される。
【００３２】
この状態で、止具２が下方に向かって移動することで、図４（ｂ）、（ｃ）に示すように、被固着材５，６の貫通孔５ａ，６ａに、止具２の胴部４が挿通するように導入され、胴部４が、かしめ凹部２５の底部に当接する。
この状態で、更に止具２が軸部２３に押圧されることで、胴部４が、かしめ凹部２５の周壁に応じて変形し、かしめられることで被固着材５，６が固着される。
【００３３】
次に、図５に示した他の実施形態に係る止具保持具１Ａについて説明する。
この止具保持具１Ａは、保持凹部１３Ａの庇部１５Ａを、周壁１４Ａとは別体としている。また、壁部１７Ａ，１７Ａの庇部１８Ａ，１８Ａについても、壁部１７Ａ，１７Ａとは別体としている。
【００３４】
本実施形態では、保持凹部１３Ａの一部及び保持凹部１３Ａの開口１６の両側空間の一部を覆うように、平板状の部材を保持具本体１０，１０の上面に設けた構成としている。
また、本実施形態では、図５（ｂ）に示すように、鉛直面状とされた周壁１４Ａ及び壁部１７Ａ，１７Ａの壁面から突出するように、庇部１５Ａ，１８Ａ，１８Ａが設けられている。
【００３５】
本実施形態においても、上記実施形態と同様の効果を奏する。
なお、庇部１５，１５Ａ，１８，１８Ａの構成は、上記各実施形態の態様に限られず、例えば、周壁１４，１４Ａ及び壁部１７，１７Ａを凹湾曲面または突湾曲面状として庇部１５，１５Ａ，１８，１８Ａを形成してもよく、種々の形状を採用するようにしてもよい。
【００３６】
また、上記各実施形態では、保持凹部１３，１３Ａの開口１６の両側の壁部１７，１７，１７Ａ，１７Ａに、庇部１８，１８，１８Ａ，１８Ａを設けた例を示しているが、このような庇部１８，１８，１８Ａ，１８Ａを設けなくてもよい。
また、上記各実施形態では、周壁１４，１４Ａの略全体に庇部１５，１５Ａを設けた例を示しているが、このような態様に限られず、庇部１５，１５Ａは、少なくとも周壁１４，１４Ａの一部に設けられていればよい。
【符号の説明】
【００３７】
１            止具保持具
２            止具
３            頭部
４            胴部
５            被固着材
６            被固着材
９            止具固着装置
１０          保持具本体
１１          保持孔
１３，１３Ａ  保持凹部
１４，１４Ａ  周壁
１５，１５Ａ  庇部
１６          開口
１７，１７Ａ  壁部
１８，１８Ａ  庇部
２０          ガイド部
【図１】
2018103206.tif 000003
【図２】
2018103206.tif 000004
【図３】
2018103206.tif 000005
【図４】
2018103206.tif 000006
【図５】
2018103206.tif 000007
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
頭部と胴部とを有する止具によって被固着材を固着する止具固着装置に設けられ、ガイド部を介して供給元から供給された前記止具を保持する止具保持具であって、
前記止具の頭部を、該頭部が上側に位置するように保持する保持凹部が設けられており、該保持凹部を区画する周壁の少なくとも一部は、前記保持凹部の一部を上方より覆うように突出した庇部を備えており、
前記保持凹部は、前記ガイド部のガイド方向供給元側に向けて開口が形成されており、
前記開口の両側に前記ガイド部のガイド方向供給元側に対向するように設けられた壁部は、前記開口の両側空間の一部を上方より覆うように突出した庇部を備えていることを特徴とする止具保持具。
【請求項２】
請求項１において、
前記保持凹部は、平面視して前記止具の前記頭部に応じた形状とされ、前記周壁は、略全体に前記庇部を備えていることを特徴とする止具保持具。
【手続補正２】
【補正対象書類名】明細書
【補正対象項目名】０００２
【補正方法】変更
【補正の内容】
【０００２】
従来より、たとえば特許文献１に記載されたもののように、リベットやねじ等の止具によって被固着材を固着する止具固着装置に設けられる止具保持具が知られている。
この特許文献１では、リベット供給装置に連設されたシュートレールを介して送られ、往復駆動されるステムの作用によってワークに組み付けられるリベットを保持するキャッチャが開示されている。このキャッチャは、シュートレールを介して送られたリベットの頭部を支持するように首吊り状態で保持する保持部が設けられている。
【手続補正３】
【補正対象書類名】明細書
【補正対象項目名】０００３
【補正方法】変更
【補正の内容】
【０００３】
【特許文献１】特開２００２−２８７４６号公報
【手続補正４】
【補正対象書類名】明細書
【補正対象項目名】０００６
【補正方法】変更
【補正の内容】
【０００６】
上記目的を達成するために、請求項１に記載の止具保持具は、頭部と胴部とを有する止具によって被固着材を固着する止具固着装置に設けられ、ガイド部を介して供給元から供給された前記止具を保持する止具保持具であって、前記止具の頭部を、該頭部が上側に位置するように保持する保持凹部が設けられており、該保持凹部を区画する周壁の少なくとも一部は、前記保持凹部の一部を上方より覆うように突出した庇部を備えており、前記保持凹部は、前記ガイド部のガイド方向供給元側に向けて開口が形成されており、前記開口の両側に前記ガイド部のガイド方向供給元側に対向するように設けられた壁部は、前記開口の両側空間の一部を上方より覆うように突出した庇部を備えていることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
請求項１に記載の止具保持具によれば、上述した構成となっているため、庇部によって、ガイド部を介して供給された止具の頭部を下方に向けて押さえることができ、これにより、供給された止具が周壁に衝突した際に上下が反転するようなことを抑制し、止具を確実に頭部が上側となるように保持することができる。また、この止具保持具によれば、上述した構成となっているため、壁部にガイド部を介して供給された止具が衝突した場合でも、上下が反転するようなことを抑制することができる。
【手続補正７】
【補正対象書類名】明細書
【補正対象項目名】００１１
【補正方法】削除
【補正の内容】
【手続補正８】
【補正対象書類名】明細書
【補正対象項目名】００２４
【補正方法】変更
【補正の内容】
【００２４】
また、保持凹部１３を区画する周壁１４の少なくとも一部は、保持凹部１３の一部を上方より覆うように突出した庇部１５を備えている。
本実施形態では、保持凹部１３を、平面視して止具２の頭部３に応じた形状とし、周壁１４の略全体に庇部１５を設けた構成としている。
また、この保持凹部１３は、上下方向及びガイド部２０のガイド方向供給元側に向けて開口１６を有している。つまり、本実施形態では、図３（ａ）に示すように、保持凹部１３を、平面視して、ガイド方向反供給元側において止具２の頭部３に応じた略円形状とし、ガイド方向供給元側において開口１６が形成された構成としている。この開口１６は、ガイド部２０を介して供給される止具２の頭部３を受け入れ可能なように形成されている。